【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
番組に関する番組情報を、複数蓄積する番組情報蓄積手段と、
少なくとも前記番組情報を含む情報を画面に表示する表示手段と、
前記表示手段により表示された情報から、特定のものを選択する選択手段と、
前記番組情報蓄積手段の番組情報を検索する検索手段とを備え、
前記複数の番組情報は、所定の基準に基づき分類されており、
個々の前記番組情報には、その番組を特徴づける複数の番組プロパティ情報が含まれ、
前記表示手段は、前記分類の各項目をそれぞれ分類項目として表示し、
前記選択手段は、表示された分類項目からいずれかを選択し、
前記表示手段は、前記選択手段が選択した分類項目に属する特定の番組情報を、主番組情報群として表示し、
前記選択手段は、前記主番組情報群の番組情報から、所定の番組プロパティ情報を選択し、
前記検索手段は、選択された所定の番組プロパティ情報と関連する内容を有する番組プロパティ情報を含む他の番組情報を、前記番組情報蓄積手段から検索し、
前記表示手段は、前記検索手段が検索した番組情報を、関連番組情報群として表示する番組情報表示装置。
【請求項２】
前記表示手段は、前記関連番組情報群を、前記分類毎に分類して表示する請求項１に記載の番組情報表示装置。
【請求項３】
前記分類は、表示されている前記分類項目と同一である請求項２に記載の番組情報表示装置。
【請求項４】
前記表示手段は、少なくとも前記主番組情報群と、前記関連番組情報群を含む番組情報とを同一の画面上に表示する請求項１から３のいずれかに記載の番組情報表示装置。
【請求項５】
前記表示手段は、少なくとも前記主番組情報群と、前記関連番組情報群を含む番組情報とを同時に画面上に表示する請求項４に記載の番組情報表示装置。
【請求項６】
前記表示手段は、前記少なくとも関連番組情報群を含む番組情報が、前記分類項目とともに表示する請求項４に記載の番組情報表示装置。
【請求項７】
前記表示手段は、前記主番組情報群の表示領域が、前記関連番組情報群の表示領域より大きく表示する請求項６に記載の番組情報表示装置。
【請求項８】
前記表示手段は、前記主番組情報群および前記関連番組情報群の各番組情報を縦列に表示し、前記分類項目は、横列に表示する請求項４に記載の番組情報表示装置。
【請求項９】
前記番組プロパティ情報は、番組の属するジャンルについての情報、番組の放送される日付についての情報、番組の放送される時間帯についての情報、番組を放送する放送局についての情報、番組の出演者についての情報の全部または一部、および／または番組のコンテンツの一部を含むものである請求項１に記載の番組情報表示装置。
【請求項１０】
前記分類項目は、番組のジャンル、番組の放送される日付、番組の放送される時間帯、番組を放送する放送局の名称またはチャンネル、の全部または一部を含むものである請求項１または９に記載の番組情報表示装置。
【請求項１１】
前記主番組情報群内の、所定の番組プロパティ情報を含む番組情報の番組と、前記関連情報群内の番組情報の番組とは、裏番組の関係にある請求項１に記載の番組情報表示装置。
【請求項１２】
前記番組情報蓄積手段に記録された番組情報の番組であって、視聴者に視聴される番組の視聴時間を計測する視聴時間計測手段と、
前記計測された視聴時間が長い番組の番組情報に対しインデックスを付与するインデックス付与手段とを備え、
前記表示手段は、前記計測された視聴時間が長い番組の番組情報を表示する際に、前記インデックスをともに表示する請求項４に記載の番組情報表示装置。
【請求項１３】
前記インデックスの内容は、前記計測された視聴時間の長短に応じて異なるものである請求項１２に記載の番組情報表示装置。
【請求項１４】
番組情報および前記番組情報に対応する番組を受信する受信手段と、
少なくとも、前記番組情報を表示させる画像生成手段とを備えたセットトップボックスであって、
前記画像生成手段として、請求項１から１３のいずれかに記載の番組情報表示装置を有するセットトップボックス。
【請求項１５】
番組に関する番組情報を表示する番組情報表示方法であって、複数の前記番組情報は、所定の基準に基づき分類されており、個々の前記番組情報には、その番組を特徴づける複数の番組プロパティ情報が含まれ、
前記番組情報を、複数蓄積する工程と、
前記分類の各項目をそれぞれ分類項目として表示する工程と、
表示された前記分類項目からいずれかを選択する工程と、
前記選択された分類項目に属する特定の番組情報を、主番組情報群として表示する工程と、
前記主番組情報群の番組情報から、所定の番組プロパティ情報を選択する工程と、
選択された所定のプロパティ情報と関連する内容を有する番組プロパティ情報を含む他の番組情報を、前記番組情報蓄積手段から検索する工程と、
前記検索手段が検索した番組情報を、関連番組情報群として表示する工程とを備えた番組情報表示方法。
【請求項１６】
請求項１５に記載の番組情報表示方法の、前記番組情報を、複数蓄積する工程と、前記分類の各項目をそれぞれ分類項目として表示する工程と、表示された前記分類項目からいずれかを選択する工程と、前記選択された分類項目に属する特定の番組情報を、主番組情報群として表示する工程と、前記主番組情報群の番組情報から、所定の番組プロパティ情報を選択する工程と、選択された所定のプロパティ情報と関連する内容を有する番組プロパティ情報を含む他の番組情報を、前記番組情報蓄積手段から検索する工程と、前記検索手段が検索した番組情報を、関連番組情報群として表示する工程とをコンピュータに実行させるためのプログラム。
【請求項１７】
請求項１６に記載のプログラムを担持した媒体であって、コンピュータにより処理可能な媒体。
【請求項１８】
前記表示手段は、
前記主番組情報群を表示する主番組表示領域と、前記関連番組情報群を表示する副番組情報表示領域とを表示し、
前記副番組情報表示領域は、前記種番組情報表示領域に表示された主番組情報の放送日と同一およびその前後の関連番組情報を表示するものである、請求項４に記載の番組情報表示装置。
【請求項１９】
前記番組プロパティ情報は放送日及び放送時間帯であり、
前記検索手段は、前記放送時間帯と同一もしくは部分的に一致する時間帯であって、同一の放送日の他の番組を、前記関連番組情報群に属する番組情報として検索する、請求項１に記載の番組情報表示装置。
【請求項２０】
前記表示手段は、
前記関連番組情報群を含む番組情報を、複数のジャンル毎に分類して同一の画面上に表示する、請求項４に記載の番組情報表示装置。
【手続補正２】
【補正対象書類名】明細書
【補正対象項目名】００２２
【補正方法】変更
【補正の内容】
【００２２】
また、第８の本発明（請求項８に対応）は、前記表示手段は、前記主番組情報群および前記関連番組情報群の各番組情報を縦列に表示し、前記分類項目は、横列に表示する第４の本発明の番組情報表示装置である。
【手続補正３】
【補正対象書類名】明細書
【補正対象項目名】００３０
【補正方法】変更
【補正の内容】
【００３０】
また、第１６の本発明（請求項１６に対応）は、第１５の本発明の番組情報表示方法の、前記番組情報を、複数蓄積する工程と、前記分類の各項目をそれぞれ分類項目として表示する工程と、表示された前記分類項目からいずれかを選択する工程と、前記選択された分類項目に属する特定の番組情報を、主番組情報群として表示する工程と、前記主番組情報群の番組情報から、所定の番組プロパティ情報を選択する工程と、選択された所定のプロパティ情報と関連する内容を有する番組プロパティ情報を含む他の番組情報を、前記番組情報蓄積手段から検索する工程と、前記検索手段が検索した番組情報を、関連番組情報群として表示する工程とをコンピュータに実行させるためのプログラムである。
【手続補正４】
【補正対象書類名】明細書
【補正対象項目名】００３１
【補正方法】変更
【補正の内容】
【００３１】
また、第１７の本発明（請求項１７に対応）は、第１６の本発明のプログラムを担持した媒体であって、コンピュータにより処理可能な媒体である。
また、第１８の本発明（請求項１８に対応）は、前記表示手段は、
前記主番組情報群を表示する主番組表示領域と、前記関連番組情報群を表示する副番組情報表示領域とを表示し、
前記副番組情報表示領域は、前記種番組情報表示領域に表示された主番組情報の放送日と同一およびその前後の関連番組情報を表示するものである、第４の本発明の番組情報表示装置である。
また、第１９の本発明（請求項１９に対応）は、前記番組プロパティ情報は放送日及び放送時間帯であり、
前記検索手段は、前記放送時間帯と同一もしくは部分的に一致する時間帯であって、同一の放送日の他の番組を、前記関連番組情報群に属する番組情報として検索する、第１の本発明の番組情報表示装置である。
また、第２０の本発明（請求項２０に対応）は、前記表示手段は、
前記関連番組情報群を含む番組情報を、複数のジャンル毎に分類して同一の画面上に表示する、第４の本発明の番組情報表示装置である。
【手続補正５】
【補正対象書類名】明細書
【補正対象項目名】００４１
【補正方法】変更
【補正の内容】
【００４１】
以上のような構成を有する、受信システムの動作を説明することにより、本発明の実施の形態における番組情報表示装置の動作および本発明の番組情報表示方法の一実施の形態について説明を行う。以下の説明においては、図１〜図３を用いて基本的な動作を説明した後に、図４〜８の図を用いて詳細な説明を行う。
【手続補正６】
【補正対象書類名】明細書
【補正対象項目名】００８１
【補正方法】変更
【補正の内容】
【００８１】
以上のような構成を有する、本発明の実施の形態における番組情報表示装置の動作および本発明の番組情報表示方法の一実施の形態について説明を行う。ただし実施の形態１と同様である点は省略し、相違点を中心に述べる。
【手続補正７】
【補正対象書類名】明細書
【補正対象項目名】００９２
【補正方法】変更
【補正の内容】
【００９２】
なお、上記の各実施の形態において、操作部１４０は本発明の選択手段に相当し、表示ジャンル分類部２２１およびＥＰＧデータベース２１０に相当し、番組プロパティ情報検索部２２３は、本発明の検索手段に相当し、ジャンル別表示番組情報および表示位置決定部２２２は、本発明の選択手段および表示手段に相当し、ＥＰＧデータベース２１０は本発明の番組情報蓄積手段に相当する。また、視聴率監視部５１０は本発明の視聴時間計測手段に相当し、高視聴頻度情報作成部５２０は本発明のインデックス付与手段に相当する。